(57)【特許請求の範囲】
【請求項１】
表示画面を有する表示ユニットと、
上記表示ユニットを回動可能に支持して上記表示画面の起立角度を調整するためのチルト機構を有するスタンドと、を具備し、
上記チルト機構は、
上記スタンドに設けられ、互いに向かい合うサイドプレートを有する固定部と、
上記表示ユニットに設けられ、上記固定部を挟んで向かい合う一対の脚部を有する可動部と、
上記固定部のサイドプレートと上記可動部の脚部との間を回動可能に連結するヒンジ軸と、
上記固定部のサイドプレートの間に跨る長さ寸法を有し、ロック位置と解除位置との間でスライド可能に上記固定部に設けられて、上記固定部に対する上記可動部の回動を制限するロック部材と、
上記ロック部材を上記ロック位置又は上記解除位置に人為的にスライドさせるとともに、上記スタンドの背後に位置するレバーと、
上記ロック部材を上記ロック位置および上記解除位置に夫々保持する保持手段と、を含み、
上記ロック部材は、その長手方向に沿う一端に位置する第１の係合部と、長手方向に沿う他端に位置する第２の係合部と、上記第２の係合部と隣り合う凹部と、を有し、上記ロック位置では、上記第１および第２の係合部が夫々上記可動部の脚部の先端が描く回動軌跡を横切るように上記サイドプレートの側方に張り出して、上記表示ユニットが予め決められた角度以上倒れないように上記可動部の脚部に係合し、上記解除位置では、上記第１の係合部が上記一方の脚部の先端が描く回動軌跡から外れるとともに、上記凹部が上記他方の脚部の通過を許容するように上記他方の脚部の先端が描く回動軌跡の上に位置して、上記表示ユニットの自由な回動を許容し、
上記表示ユニットは、上記ロック部材が上記ロック位置にスライドされた時に、上記表示画面の起立角度を調整し得るように予め決められた角度の範囲内で回動可能であることを特徴とする表示装置。
【請求項２】
据え付け面の上に置かれるベースに支持され、互いに向かい合うサイドプレートを有する固定部と、
表示ユニットを支持するとともに、上記固定部を挟んで向かい合う一対の脚部を有する可動部と、
上記固定部のサイドプレートと上記可動部の脚部との間を回動可能に連結するヒンジ軸と、
上記固定部のサイドプレートの間に跨る長さ寸法を有し、ロック位置と解除位置との間でスライド可能に上記固定部に設けられて、上記固定部に対する上記可動部の回動を制限するロック部材と、
上記ロック部材を上記ロック位置又は上記解除位置に人為的にスライドさせるとともに、上記固定部の背後に位置するレバーと、
上記ロック部材を上記ロック位置および上記解除位置に夫々保持する保持手段と、を含む表示装置用スタンドであって、
上記ロック部材は、その長手方向に沿う一端に位置する第１の係合部と、長手方向に沿う他端に位置する第２の係合部と、上記第２の係合部と隣り合う凹部と、を有し、上記ロック位置では、上記第１および第２の係合部が夫々上記可動部の脚部の先端が描く回動軌跡を横切るように上記サイドプレートの側方に張り出して、上記表示ユニットが予め決められた角度以上倒れないように上記可動部の脚部に係合し、上記解除位置では、上記第１の係合部が上記一方の脚部の先端が描く回動軌跡から外れるとともに、上記凹部が上記他方の脚部の通過を許容するように上記他方の脚部の先端が描く回動軌跡の上に位置して、上記表示ユニットの自由な回動を許容し、
上記表示ユニットは、上記ロック部材が上記ロック位置にスライドされた時に、表示画面の起立角度を調整し得るように予め決められた角度の範囲内で回動可能であることを特徴とする表示装置用スタンド。
【発明の詳細な説明】
【技術分野】
【０００１】
本発明は、卓上スタンドを有する液晶テレビのような薄型の表示装置に関する。さらに、本発明は、例えば液晶表示パネルを有する薄型の表示ユニットを支えるスタンドの構造に関する。
【背景技術】
【０００２】
テレビあるいはコンピュータ用のモニターのような表示装置は、例えば液晶表示パネルを用いた表示ユニットを備えている。この種の表示ユニットは、商品価値を高めるために薄型化が強化されており、表示ユニットの幅寸法および高さ寸法に比べて奥行き寸法が極端に小さく形成されている。
【０００３】
したがって、表示ユニットを例えばテレビ台や机の上に据え付ける場合に、表示ユニット単体では起立状態を維持することが困難となるので、従来の表示装置は、表示ユニットを支える専用の卓上スタンドを装備している。
【０００４】
特許文献１に開示された卓上スタンドは、テレビ台のような据え付け面の上に置かれる台座と、この台座から上向きに突出する脚部とを有し、この脚部に表示ユニットが支持されている。脚部は、ボルトのようなピボット軸を介して台座に支持されている。
【０００５】
このため、表示ユニットは、ピボット軸の水平な軸線を中心に台座の前後方向に所定の角度範囲に亘って回動可能となっている。この回動により、表示ユニットの起立角度をオペレータが液晶表示パネルの表示画面を見易い角度に自由に調整し得るようになっている。
【０００６】
一方、卓上スタンドは、表示ユニットを安定した姿勢で支えることができるように、表示ユニットの前方および背後に大きく張り出すような形状を有している。このため、例えば表示装置を箱に入れて梱包する際に、表示ユニットが卓上ユニットから起立したままの状態では、表示装置を収容する箱が大型化するのを避けられない。
【０００７】
したがって、表示装置を梱包することを考慮すると、台座に対する脚部の回動範囲を広げて、表示ユニットを卓上スタンドの台座と略平行となる位置まで倒せる構成とすることが望ましいものとなる。
【特許文献１】実用新案登録第３１３０６１２号公報
【発明の開示】
【発明が解決しようとする課題】
【０００８】
しかしながら、表示装置がテレビ台のような据え付け面の上に置かれている時に、表示ユニットを据え付け面に沿って略水平となる位置まで倒してしまうと、表示ユニットが卓上スタンドの前方又は後方に向けて張り出してしまう。
【０００９】
この結果、表示ユニットの重心が卓上スタンドから大きく外れてしまい、表示装置の姿勢が不安定となったり、表示装置全体が据え付け面の上で転倒するといった問題が生じてくる。
【００１０】
本発明の目的は、表示ユニットの回動角度を表示ユニットの使用状況に応じて変更することができ、スタンドを含む表示ユニットの転倒を防止できる表示装置を得ることにある。
【００１１】
本発明の他の目的は、表示ユニットの回動角度を表示ユニットの使用状況に応じて変更することができ、表示ユニットの転倒を防止できる表示装置用スタンドを得ることにある。
【課題を解決するための手段】
【００１２】
上記目的を達成するため、本発明の一つの形態に係る表示装置は、
表示画面を有する表示ユニットと、
上記表示ユニットを回動可能に支持して上記表示画面の起立角度を調整するためのチルト機構を有するスタンドと、を具備している。
上記チルト機構は、
上記スタンドに設けられ、互いに向かい合うサイドプレートを有する固定部と、
上記表示ユニットに設けられ、上記固定部を挟んで向かい合う一対の脚部を有する可動部と、
上記固定部のサイドプレートと上記可動部の脚部との間を回動可能に連結するヒンジ軸と、
上記固定部のサイドプレートの間に跨る長さ寸法を有し、ロック位置と解除位置との間でスライド可能に上記固定部に設けられて、上記固定部に対する上記可動部の回動を制限するロック部材と、
上記ロック部材を上記ロック位置又は上記解除位置に人為的にスライドさせるとともに、上記スタンドの背後に位置するレバーと、
上記ロック部材を上記ロック位置および上記解除位置に夫々保持する保持手段と、を含んでいる。
上記ロック部材は、その長手方向に沿う一端に位置する第１の係合部と、長手方向に沿う他端に位置する第２の係合部と、上記第２の係合部と隣り合う凹部と、を有し、上記ロック位置では、上記第１および第２の係合部が夫々上記可動部の脚部の先端が描く回動軌跡を横切るように上記サイドプレートの側方に張り出して、上記表示ユニットが予め決められた角度以上倒れないように上記可動部の脚部に係合し、上記解除位置では、上記第１の係合部が上記一方の脚部の先端が描く回動軌跡から外れるとともに、上記凹部が上記他方の脚部の通過を許容するように上記他方の脚部の先端が描く回動軌跡の上に位置して、上記表示ユニットの自由な回動を許容し、
上記表示ユニットは、上記ロック部材が上記ロック位置にスライドされた時に、上記表示画面の起立角度を調整し得るように予め決められた角度の範囲内で回動可能であることを特徴としている。
【００１３】
上記目的を達成するため、本発明の一つの形態に係る表示装置用スタンドは、
据え付け面の上に置かれるベースに支持され、互いに向かい合うサイドプレートを有する固定部と、
表示ユニットを支持するとともに、上記固定部を挟んで向かい合う一対の脚部を有する可動部と、
上記固定部のサイドプレートと上記可動部の脚部との間を回動可能に連結するヒンジ軸と、
上記固定部のサイドプレートの間に跨る長さ寸法を有し、ロック位置と解除位置との間でスライド可能に上記固定部に設けられて、上記固定部に対する上記可動部の回動を制限するロック部材と、
上記ロック部材を上記ロック位置又は上記解除位置に人為的にスライドさせるとともに、上記固定部の背後に位置するレバーと、
上記ロック部材を上記ロック位置および上記解除位置に夫々保持する保持手段と、を備えている。
上記ロック部材は、その長手方向に沿う一端に位置する第１の係合部と、長手方向に沿う他端に位置する第２の係合部と、上記第２の係合部と隣り合う凹部と、を有し、上記ロック位置では、上記第１および第２の係合部が夫々上記可動部の脚部の先端が描く回動軌跡を横切るように上記サイドプレートの側方に張り出して、上記表示ユニットが予め決められた角度以上倒れないように上記可動部の脚部に係合し、上記解除位置では、上記第１の係合部が上記一方の脚部の先端が描く回動軌跡から外れるとともに、上記凹部が上記他方の脚部の通過を許容するように上記他方の脚部の先端が描く回動軌跡の上に位置して、上記表示ユニットの自由な回動を許容し、
上記表示ユニットは、上記ロック部材が上記ロック位置にスライドされた時に、表示画面の起立角度を調整し得るように予め決められた角度の範囲内で回動可能であることを特徴としている。
【発明の効果】
【００１４】
本発明によれば、表示ユニットの使用状況に応じてロック部材をロック位置又は解除位置にスライドさせることにより、表示ユニットの回動角度を任意に変更することができる。したがって、表示ユニットを起立させた姿勢で使用している時に、表示ユニットを水平近くにまで倒し込むといった誤操作を回避することができ、表示ユニットの転倒を防止できる。
【発明を実施するための最良の形態】
【００１５】
以下本発明の実施の形態を、液晶テレビに適用した図面に基づいて説明する。
【００１６】
図１および図２は、表示装置の一例である液晶テレビ１を開示している。液晶テレビ１は、表示ユニット２とスタンド３とを備えている。
【００１７】
表示ユニット２は、合成樹脂製の筐体４と、この筐体４の内部に収容されたフラットな液晶表示パネル５とを含んでいる。筐体４は、液晶テレビ１の商品価値を高めるため薄型化が強化されており、その奥行き寸法が幅寸法および高さ寸法に比べて極端に小さくなっている。
【００１８】
液晶表示パネル５は、図６に概略を示す金属製のシャーシ６に支持されている。液晶表示パネル５の表示画面５ａは、筐体４の前面に開けた開口部７を介して表示ユニット２の外に露出している。
【００１９】
スタンド３は、例えばテレビ台の据え付け面８の上に表示ユニット２を支持するためのものである。スタンド３は、ベース１０とチルト金具１１とを備えている。
【００２０】
ベース１０は、据え付け面８の上に置かれる金属製のベースフレーム１２と、このベースフレーム１２を覆う合成樹脂製のベースカバー１３とで構成されている。ベースフレーム１２は、据え付け面８の上に安定した姿勢で置くことができるような四角い平板状をなしており、表示ユニット２よりも遥かに大きな奥行き寸法を有している。
【００２１】
チルト機構の一例であるチルト金具１１は、支柱１５とパネル支持金具１６とを備えている。支柱１５は、固定部の一例であり、ベースフレーム１２の中央部に複数のねじを介して固定されている。支柱１５は、ベースプレート１２から上向きに突出するとともに、ベースカバー１３を貫通している。
【００２２】
図５、図９〜図１３に示すように、支柱１５は、ボトムプレート１７、バックプレート１８および左右のサイドプレート１９ａ，１９ｂを有する一体構造物となっている。ボトムプレート１７は、ベースフレーム１２の上面の中央部にねじで固定されている。バックプレート１８は、ボトムプレート１７の後縁から上向きに突出している。サイドプレート１９ａ，１９ｂは、バックプレート１８の左右の側縁からバックプレート１８の前方に向けて突出している。サイドプレート１９ａ，１９ｂは、ベース１０の幅方向に互いに向かい合っている。
【００２３】
可動部としてのパネル支持金具１６は、金具本体２１と一対の脚部２２ａ，２２ｂとを有する一体構造物となっている。金具本体２１は、四角い板状をなしている。金具本体２１は、シャーシ６の幅方向に沿う中央部の下端に複数のねじを介して固定されて、表示ユニット２と一体化されている。脚部２２ａ，２２ｂは、金具本体２１の左右の側縁から支柱１５に向けて突出するとともに、ベース１０の幅方向に互いに向かい合っている。
【００２４】
図５および図９に示すように、パネル支持金具１６の脚部２２ａ，２２ｂは、支柱１５の上部を挟んでいる。一方の脚部２２ａは、一方のサイドプレート１９ａの上部に第１のヒンジ軸２３ａを介して回動可能に連結されている。パネル支持金具１６の他方の脚部２２ｂは、他方のサイドプレート１９ｂの上部に第２のヒンジ軸２３ｂを介して回動可能に連結されている。第１および第２のヒンジ軸２３ａ，２３ｂは、夫々水平な軸線Ｏ１を有するとともに、互いに同軸状に配置されている。
【００２５】
このため、表示ユニット２と一体化されたパネル支持金具１６は、第１および第２のヒンジ軸２３ａ，２３ｂを介して支柱１５に支持されている。したがって、表示ユニット２は、第１および第２のヒンジ軸２３ａ，２３ｂを中心として、使用位置と格納位置との間で回動可能となっている。
【００２６】
図３は、表示ユニット２が使用位置に回動された状態を開示している。使用位置では、表示ユニット２は、据え付け面８から略垂直に起立している。図４は、表示ユニット２が格納位置に回動された状態を開示している。格納位置では、表示ユニット２は、据え付け面８に沿うようにベース１０の後方に向けて略水平に近い角度まで倒れ込んでいる。
【００２７】
本実施の形態では、第１および第２のヒンジ軸２３ａ，２３ｂは、パネル支持金具１６と一緒に回動するようになっている。言い換えると、第１および第２のヒンジ軸２３ａ，２３ｂと支柱１５のサイドプレート１９ａ，１９ｂとは相対的に回動するようになっており、これらヒンジ軸２３ａ，２３ｂとサイドプレート１９ａ，１９ｂとの間には、摩擦力を発生させる複数のワッシャ又はコイルスプリング（共に図示せず）が介在されている。これにより、第１および第２のヒンジ軸２３ａ，２３ｂの自由な回動が制限され、表示ユニット２が任意の回動角度に保持されるようになっている。
【００２８】
さらに、表示ユニット２が使用位置に回動された状態では、表示ユニット２は、表示パネル５の表示画面５ａが据え付け面８に対し垂直となる基準位置と、表示画面５ａが基準位置から後方に倒れ込む傾斜位置との間で回動可能となっている。この回動により、オペレータは、表示画面５ａが見易くなるように表示ユニット２の起立角度を調整することができる。本実施の形態では、表示ユニット２の起立角度の調整範囲αは、例えば１５°に設定されている。
【００２９】
図４および図７に示すように、チルト金具１１の支柱１５は、合成樹脂製の化粧カバー２４で覆われている。化粧カバー２４は、リヤカバー２５とフロントカバー２６とに分割されている。リヤカバー２５は、支柱１５のバックプレート１８に複数のねじ２７を介して固定されている。フロントカバー２６は、リヤカバー２５に取り外し可能に係合されて、このリヤカバー２５と協働して支柱１５を取り囲んでいる。
【００３０】
図１１の（Ａ）および図１３の（Ａ）に示すように、パネル支持金具１６の一方の脚部２２ａに第１のストッパ部２８が形成されている。第１のストッパ部２８は、脚部２２ａの先端部の外周縁に位置するとともに、この先端部の外周縁から第１のヒンジ軸２３ａの中心に向かう縁部２８ａを有している。
【００３１】
パネル支持金具１６の他方の脚部２２ｂに第２のストッパ部２９が形成されている。第２のストッパ部２９は、脚部２２ｂの先端部の外周縁から金具本体２１とは反対側に突出している。第２のストッパ部２９は、その突出端の方向に進むに従い先細り状をなす縁部２９ａを有している。
【００３２】
図５、図７および図１０に示すように、チルト金具１１の支柱１５は、スリット状をなす一対のガイド孔３１ａ，３１ｂを有している。一方のガイド孔３１ａは、バックプレート１８と一方のサイドプレート１９ａとで規定される角部に形成されている。他方のガイド孔３１ｂは、バックプレート１８と他方のサイドプレート１９ｂとで規定される角部に形成されている。
【００３３】
図７に最も良く示されるように、チルト金具１１の支柱１５に金属製のロックプレート３２が取り付けられている。ロックプレート３２は、ロック部材の一例であり、チルト金具１１の幅方向に延びる帯状をなしている。ロックプレート３２は、ガイド孔３１ａ，３１ｂの間に跨る長さ寸法を有するとともに、ガイド孔３１ａ，３１ｂの開口縁とバックプレート１８との間で摺動可能に支持されている。
【００３４】
ロックプレート３２は、第１の係合部３３と第２の係合部３４とを有している。第１の係合部３３は、ロックプレート３２の長手方向に沿う一端に位置している。第２の係合部３４は、ロックプレート３２の長手方向に沿う他端に位置している。さらに、ロックプレート３２の他端に凹部３５が形成されている。凹部３５は、ロックプレート３２の上縁に開口するとともに、第２の係合部３４と隣り合っている。凹部３５は、パネル支持金具１６の第２のストッパ部２９を避けるような大きさを有している。
【００３５】
ロックプレート３２は、ロック位置と解除位置との間でチルト金具１１の幅方向にスライド移動が可能となっている。図１０および図１１は、ロックプレート３２がロック位置に移動された状態を開示している。
【００３６】
ロック位置では、ロックプレート３２の第１の係合部３３が支柱１５のサイドプレート１９ａの側方に張り出して、パネル支持金具１６の脚部２２ａの先端部が描く回動軌跡と交差するように脚部２２ａの先端部の下方に進出している。さらに、ロック位置では、ロックプレート３２の第２の係合部３４が支柱１５のサイドプレート１９ｂの側方に張り出して、パネル支持金具１６の脚部２２ｂの先端部が描く回動軌跡と交差するように脚部２２ｂの先端部の下方に進出している。
【００３７】
図１２および図１３は、ロックプレート３２が解除位置に移動された状態を開示している。解除位置では、ロックプレート３２の第１の係合部３３がガイド孔３１ａ内に退いて、パネル支持金具１６の脚部２２ａの先端部が描く回動軌跡から外れている。さらに、解除位置では、ロックプレート３２の凹部３５が支柱１５のサイドプレート１９ｂの側方に張り出して、パネル支持金具１６の脚部２２ｂの先端部が描く回動軌跡の上に位置している。それととともに、ロックプレート３２の第２の係合部３４が脚部２２ｂの先端部が描く回動軌跡から外れている。
【００３８】
図７および図８に示すように、合成樹脂製の操作レバー３７がロックプレート３２の背面の中央部にねじ３８で固定されている。操作レバー３７は、バックプレート１８に開けた貫通孔３９を通じて支柱１５の背後に突出している。操作レバー３７は、支柱１５の背後に位置する壁部４０を有している。壁部４０は、ロックプレート３２のスライド方向に延びる長方形状をなしている。壁部４０に手の指先を掛ける凸部４１が形成されている。凸部４１は、リヤカバー２５に開けた長方形状の開口部４２を通じてスタンド３の背後に露出している。
【００３９】
ロックプレート３２は、操作レバー３７の凸部４１を指先で押圧することで、ロック位置又は解除位置のいずれかに移動させることができる。リヤカバー２５の背面には、ロックプレート３２がロック位置にスライドされていることを示すロックマークと、ロックプレート３２が解除位置にスライドされていることを示す解除マークとが付されている。
【００４０】
図８に示すように、操作レバー３７の壁部４０の背面は、リヤカバー２５と向かい合っている。壁部４０の背面に一対の係合突起４３ａ，４３ｂが形成されている。一方の係合突起４３ａは、壁部４０の長手方向に沿う一端に位置している。他方の係合突起４３ｂは、壁部４０の長手方向に沿う他端に位置している。
【００４１】
リヤカバー２５の内面に一対の爪４４ａ，４４ｂが形成されている。爪４４ａ，４４ｂは、開口部４２を間に挟んでロックプレート３２のスライド方向に互いに振り分けて配置されている。
【００４２】
操作レバー３７を介してロックプレート３２をロック位置にスライドさせると、一方の係合突起４３ａが爪４４ａに弾性的に引っ掛かる。これにより、ロックプレート３２がロック位置に保持される。それとともに、係合突起４３ａが爪４４ａを乗り越す時にクリック感が生じるので、操作レバー３７を操作するオペレータは、ロックプレート３２がロック位置にスライドされたことを認識することができる。
【００４３】
同様に、操作レバー３７を介してロックプレート３２をロック位置から解除位置にスライドさせると、一方の係合突起４３ａが爪４４ａから離脱するとともに、他方の係合突起４３ｂが爪４４ｂに弾性的に引っ掛かる。この結果、ロックプレート３２が解除位置に保持される。それとともに、係合突起４３ａ，４３ｂが爪４４ａ，４４ｂを乗り越す時にクリック感が生じるので、操作レバー３７を操作するオペレータは、ロックプレート３２がロック位置から解除位置にスライドされたことを認識することができる。
【００４４】
したがって、本実施の形態では、係合突起４３ａ，４３ｂおよび爪４４ａ，４４ｂがロックプレート３２をロック位置および解除位置に保持する保持手段を構成している。
【００４５】
このような構成において、液晶テレビ１を据え付け面８の上に据え付けて番組を視聴する際には、表示ユニット２を使用位置に回動させて液晶表示パネル５の表示画面５ａを起立させる。
【００４６】
表示ユニット２が使用位置に回動された状態で、操作レバー３７の凸部４１を指先で押圧して凸部４１の先端をロックマークの位置に合わせると、ロックプレート３２がロック位置にスライドする。
【００４７】
図１０および図１１に示すように、ロック位置では、ロックプレート３２の第１の係合部３３がパネル支持金具１６の脚部２２ａの回動軌跡を横切るように進出する。さらに、ロックプレート３２の凹部３５が脚部２２ｂの回動軌跡から外れるとともに、ロックプレート３２の第２の係合部３４が脚部３２ｂの回動軌跡を横切るように進出する。
【００４８】
この結果、表示ユニット２を垂直に起立した姿勢から１５°を上回る角度で格納位置に向けて回動させると、脚部２２ａの第１のストッパ部２８の縁部２８ａがロックプレート３２の第１の係合部３３に突き当たる。それとともに、脚部２２ｂの第２のストッパ部２９の縁部２９ａがロックプレート３２の第２の係合部３４に突き当たる。
【００４９】
したがって、表示ユニット２の回動が制限され、表示ユニット２は、垂直に起立した姿勢から１５°以上倒れないように保持される。
【００５０】
一方、例えば液晶テレビ１を図４に示すような箱４５に入れて梱包する際には、操作レバー３７の凸部４１を指先で押圧し、凸部４１の先端を解除マークに合わせる。これにより、ロックプレート３２が解除位置にスライドする。
【００５１】
図１２および図１３に示すように、解除位置では、ロックプレート３２の第１の係合部３３がパネル支持金具１６の脚部２２ａの回動軌跡から外れるとともに、ロックプレート３２の凹部３５が脚部２２ｂの回動軌跡の上に進出する。
【００５２】
そのため、表示ユニット２を使用位置から格納位置に向けて１５°を上回る角度で回動させても、パネル支持金具１６の脚部２２ａとロックプレート３２の第１の係合部３３との係合が回避される。それとともに、パネル支持金具１６の脚部２２ｂは、ロックプレート３２の第２の係合部３４に突き当たることなく、ロックプレート３２の凹部３５を通過する。
【００５３】
したがって、表示ユニット２を格納位置に向けて回動させることができ、図４に示すように、表示ユニット２をスタンド３のベース１０に沿うように折り畳むことができる。よって、液晶テレビ１を収容する梱包用の箱４５を極力コンパクトに形成できるとともに、液晶テレビ１を保管するスペースを削減できる。
【００５４】
本発明の実施の形態によれば、ロックプレート３２をロック位置又は解除位置のいずれかに操作することで、表示ユニット２の回動角度を表示ユニット２の使用状況に応じて任意に変更することができる。
【００５５】
したがって、液晶テレビ１を据え付け面８の上に据え付けて使用している時に、ロックプレート３２を解除位置にスライドさせない限り、表示ユニット２を格納位置まで倒すことはできず、液晶テレビ１の転倒を確実に防止することができる。
【００５６】
さらに、本実施の形態では、ロックプレート３２を操作する操作レバー３７は、支柱１５の背後に位置している。そのため、液晶テレビ１を据え付け面８の上に据え付けて番組を視聴できる状態では、操作レバー３７が視聴者から見えることはない。よって、液晶テレビ１の外観を良好に維持できる。
【００５７】
なお、本発明は上記実施の形態に特定されるものではなく、発明の主旨を逸脱しない範囲内で種々変更して実施可能である。
【００５８】
例えば、本発明に係る表示装置は、液晶テレビに限らず、プラズマテレビやコンピュータ用のモニターであってもよい。
【図面の簡単な説明】
【００５９】
【図１】本発明の実施の形態に係る液晶テレビの斜視図。
【図２】本発明の実施の形態に係る液晶テレビを背後から見た斜視図。
【図３】本発明の実施の形態において、表示ユニットを使用位置に回動させた状態を示す液晶テレビの側面図。
【図４】本発明の実施の形態において、表示ユニットを格納位置に回動させた状態を示す液晶テレビの側面図。
【図５】本発明の実施の形態に係るスタンドの斜視図。
【図６】本発明の実施の形態に係るスタンドの背面図。
【図７】図６のF7-F7線に沿う断面図。
【図８】図７のＸ部を拡大して示す断面図。
【図９】本発明の実施の形態に係るチルト金具の正面図。
【図１０】本発明の実施の形態において、ロックプレートがロック位置にスライドされた時のチルト金具の背面図。
【図１１】（Ａ）は、図１０の矢印Ａ方向から見たチルト金具の側面図。（Ｂ）は、図１０の矢印Ｂ方向から見たチルト金具の側面図。
【図１２】本発明の実施の形態において、ロックプレートが解除位置にスライドされた時のチルト金具の背面図。
【図１３】（Ａ）は、図１２の矢印Ａ方向から見たチルト金具の側面図。（Ｂ）は、図１２の矢印Ｂ方向から見たチルト金具の側面図。
【符号の説明】
【００６０】
２…表示ユニット、３…スタンド、５ａ…表示画面、８…据え付け面、１０…ベース、１１…チルト機構（チルト金具）、１５…固定部（支柱）、１６…可動部（パネル支持金具）、１９ａ，１９ｂ…サイドプレート、２２ａ，２２ｂ…脚部、２３ａ，２３ｂ…ヒンジ軸（第１のヒンジ軸、第２のヒンジ軸）、３２…ロック部材（ロックプレート）、３３…第１の係合部、３４…第２の係合部、３５…凹部、３７…レバー（操作レバー）、４３ａ，４３ｂ，４４ａ，４４ｂ…保持手段（係合突起、爪）。
【図１】
0004314295.tif 000002
【図２】
0004314295.tif 000003
【図３】
0004314295.tif 000004
【図４】
0004314295.tif 000005
【図５】
0004314295.tif 000006
【図６】
0004314295.tif 000007
【図７】
0004314295.tif 000008
【図８】
0004314295.tif 000009
【図９】
0004314295.tif 000010
【図１０】
0004314295.tif 000011
【図１１】
0004314295.tif 000012
【図１２】
0004314295.tif 000013
【図１３】
0004314295.tif 000014